(57)【特許請求の範囲】
【請求項１】
機器の管理の支援を依頼するクライアント端末と、機器の管理の支援を行う機器管理支援サーバと、前記機器管理支援サーバに関連付けされるデータベースとを有する機器管理支援システムであって、
前記データベースは、
管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、
管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、
前記機器管理支援サーバは、
前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理部と、
前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、
前記管理番号で前記ユーザＩＤを受け取り、前記ユーザＩＤと前記施設アクセスコードにより前記施設ＩＤを受け取り、
前記施設ＩＤを前記クライアント端末に送信することで、前記クライアント端末における系統名の入力を促し、
前記クライアント端末からの前記系統名の返信に基づいて、前記機器テーブルに前記系統名と対応する前記施設ＩＤとを含む機器情報を登録していく初期登録処理部と
を有することを特徴とする機器管理支援システム。
【請求項２】
前記管理対象機器は、１つの系統に、１台の室外機と前記１台の室外機に従属する少なくとも１台の室内機とを含み、
前記初期登録処理部は、
まず、室外機側の初期登録処理を促し、次いで、対応する室内機側の初期登録処理を促すことを特徴とする請求項１に記載の機器管理支援システム。
【請求項３】
さらに、前記機器テーブルに前記系統名が書き込まれる初期登録処理の終了後に、
前記媒体を読み込むことで、前記ＵＲＬで特定される前記機器管理支援サーバにアクセスすることで得られる前記機器テーブルに基づいて得られる入力画面であって、前記施設アクセスコードを入力する入力領域と、点検種別と、点検者の入力領域と、を有する入力画面で入力された機器の点検内容を有する点検項目リストの情報を、前記対象機器毎に特定できるように前記データベース内に設けられたチェック項目テーブルから取得し、前記クライアント端末に点検項目を送ることで、前記クライアント端末における機器の点検を促すことを特徴とする簡易点検処理部を有することを特徴とする請求項１又は２に記載の機器管理支援システム。
【請求項４】
前記データベースは、
クライアントを一意に特定するユーザＩＤと、クライアント端末の連絡先と、を有するユーザテーブルと、
前記クライアントへの請求書発行に関連する情報を有するプロフィールテーブルと、を有することを特徴とする請求項１から３までのいずれか１項に記載の機器管理支援システム。
【請求項５】
前記機器テーブルのユーザＩＤは、前記施設テーブルの前記ユーザＩＤと紐づいており、前記機器テーブルには、さらに、室内機の場合にその親である室外機のＩＤである親機器ＩＤを有することを特徴とする請求項１から４までのいずれか１項に記載の機器管理支援システム。
【請求項６】
機器の管理の支援を依頼するクライアント端末と、機器の管理の支援を行う機器管理支援サーバと、前記機器管理支援サーバに関連付けされるデータベースとを有する機器管理支援システムにおける機器管理支援サーバであって、
前記データベースは、
管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、
管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、
前記機器管理支援サーバは、
前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理部と、
前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、
前記管理番号で前記ユーザＩＤを受け取り、前記ユーザＩＤと前記施設アクセスコードにより前記施設ＩＤを受け取り、
前記施設ＩＤを前記クライアント端末に送信することで、前記クライアント端末における系統名の入力を促し、
前記クライアント端末からの前記系統名の返信に基づいて、前記機器テーブルに前記系統名と対応する前記施設ＩＤとを含む機器情報を登録していく初期登録処理部と
を有することを特徴とする機器管理支援サーバ。
【請求項７】
機器の管理の支援を依頼するクライアント端末と、機器の管理の支援を行う機器管理支援サーバと、前記機器管理支援サーバに関連付けされるデータベースとを有する機器管理支援システムにおける機器支援方法であって、
前記データベースは、
管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、
管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、
前記機器管理支援サーバは、
前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理ステップと、
前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、
前記管理番号で前記ユーザＩＤを受け取り、前記ユーザＩＤと前記施設アクセスコードにより前記施設ＩＤを受け取り、
前記施設ＩＤを前記クライアント端末に送信することで、前記クライアント端末における系統名の入力を促し、
前記クライアント端末からの前記系統名の返信に基づいて、前記機器テーブルに前記系統名と対応する前記施設ＩＤとを含む機器情報を登録していく初期登録処理ステップと
を行うことを特徴とする機器管理支援方法。
【請求項８】
請求項７に記載の機器管理支援方法をコンピュータに実行させるためのプログラム。
【発明の詳細な説明】
【技術分野】
【０００１】
本発明は、機器管理支援技術に関する。
【背景技術】
【０００２】
近年、環境問題に関する意識が高まってきている。例えば、平成１４年４月制定のフロン回収破壊法に基づき、業務用エアコンについて平成１４年１０月から施行され、機器の廃棄時のフロン類の回収・破壊が義務付けられている。
【０００３】
下記特許文献１では、作動冷媒として二酸化炭素を利用される空気調和装置の洗浄方法であって、充填ステップでは、冷凍サイクルに二酸化炭素を充填させ、放出ステップでは、充填ステップの後に冷凍サイクルに充填されている充填対象を放出し、繰り返しステップでは、充填ステップおよび放出ステップを単位操作とした場合、単位操作を少なくとも１回以上行うことを提案している。
【先行技術文献】
【特許文献】
【０００４】
【特許文献１】特開２００８−０３９３０８号公報
【発明の概要】
【発明が解決しようとする課題】
【０００５】
ところで、平成２７年４月施行の「フロン排出抑制法」により、業務用の空調機器、業務用の冷凍・冷蔵機器、を対象として、機器の管理者に、点検、記録、報告等が義務化されている。
【０００６】
しかしながら、現状の業務用の空調機器等に関しては、機器の所有者や管理者等にとって、点検、記録、報告等が可能な状況になっておらず、その対応策が確立していなかった。
【０００７】
本発明は、上記の課題に鑑みて、業務用の空調機器等に関して、機器の所有者や管理者等に対して、点検、記録、報告等を支援するための機器管理支援技術を提供することを目的とする。
【課題を解決するための手段】
【０００８】
本発明の一観点によれば、機器の管理の支援を依頼するクライアント端末と、機器の管理の支援を行う機器管理支援サーバと、前記機器管理支援サーバに関連付けされるデータベースとを有する機器管理支援システムであって、前記データベースは、管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、前記機器管理支援サーバは、前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理部と、前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、前記管理番号で前記ユーザＩＤを受け取り、前記ユーザＩＤと前記施設アクセスコードにより前記施設ＩＤを受け取り、前記施設ＩＤを前記クライアント端末に送信することで、前記クライアント端末における系統名の入力を促し、前記クライアント端末からの前記系統名の返信に基づいて、前記機器テーブルに前記系統名と対応する前記施設ＩＤとを含む機器情報を登録していく初期登録処理部と、を有することを特徴とする機器管理支援システムが提供される。
【０００９】
当該発明によれば、管理支援対象機器を、クライアント端末側と機器管理支援サーバ側とで前記媒体により関連付けることで、精度良く管理を行うことができる。前記媒体は、コード化されていると便利である。
【００１０】
前記管理対象機器は、１つの系統に、１台の室外機と前記１台の室外機に従属する少なくとも１台の室内機とを含み、前記初期登録処理部は、まず、室外機側の初期登録処理を促し、次いで、対応する室内機側の初期登録処理を促すことを特徴とする。
【００１１】
さらに、前記機器テーブルに前記系統名が書き込まれる初期登録処理の終了後に、前記コード化された媒体を読み込むことで、前記ＵＲＬで特定される前記機器管理支援サーバにアクセスすることで得られる前記機器テーブルに基づいて得られる入力画面であって、前記施設アクセスコードを入力する入力領域と、点検種別と、点検者の入力領域と、を有する入力画面で入力された機器の点検内容を有する点検項目リストの情報を、前記対象機器毎に特定できるように前記データベース内に設けられたチェック項目テーブルから取得し、前記クライアント端末に点検項目を送ることで、前記クライアント端末における機器の点検を促すことを特徴とする簡易点検処理部を有することを特徴とする。
【００１２】
前記データベースは、クライアントを一意に特定するユーザＩＤと、クライアント端末の連絡先と、を有するユーザテーブルと、前記クライアントへの請求書発行に関連する情報を有するプロフィールテーブルと、を有することを特徴とする。
【００１３】
前記機器テーブルのユーザＩＤは、前記施設テーブルの前記ユーザＩＤと紐づいており、前記機器テーブルには、さらに、室内機の場合にその親である室外機のＩＤである親機器ＩＤを有することを特徴とする。
【００１４】
機器の管理の支援を依頼するクライアント端末と、機器の管理の支援を行う機器管理支援サーバと、前記機器管理支援サーバに関連付けされるデータベースとを有する機器管理支援システムにおける機器管理支援サーバであって、前記データベースは、管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、前記機器管理支援サーバは、前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理部と、前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、前記管理番号で前記ユーザＩＤを受け取り、前記ユーザＩＤと前記施設アクセスコードにより前記施設ＩＤを受け取り、前記施設ＩＤを前記クライアント端末に送信することで、前記クライアント端末における系統名の入力を促し、前記クライアント端末からの前記系統名の返信に基づいて、前記機器テーブルに前記系統名と対応する前記施設ＩＤとを含む機器情報を登録していく初期登録処理部と、を有することを特徴とする機器管理支援サーバが提供される。
【００１５】
本発明の他の観点によれば、機器の管理の支援を依頼するクライアント端末と、機器の管理の支援を行う機器管理支援サーバと、前記機器管理支援サーバに関連付けされるデータベースとを有する機器管理支援システムにおける機器支援方法であって、前記データベースは、管理対象となる機器が配置されている施設の情報を保持する施設テーブルであって、施設を一意に識別するための施設ＩＤと、機器の管理者を一意に識別するユーザＩＤと、前記クライアント端末から点検結果を登録する際に必要なログインパスワードとして機能する施設アクセスコードと、を有する施設テーブルと、管理対象となる機器の情報を保持する機器テーブルであって、初期登録前には、系統名を含まず、管理すべき機器を一意に識別する機器ＩＤと、対応する機器の番号である管理番号と、前記ユーザＩＤと、を有する機器テーブルと、を有し、前記機器管理支援サーバは、前記施設テーブルの情報に基づいて作成された、前記施設ＩＤと、前記ユーザＩＤと、前記施設アクセスコードとからなる建物コードリストを前記クライアント端末側に送信するとともに、前記機器テーブルの情報に基づいて作成された、前記機器管理支援サーバへのＵＲＬと、前記管理番号とを含む情報を有する媒体を前記クライアント端末側に送信することで、前記クライアント端末側における前記媒体の管理対象機器への貼付を促す施設・機器登録処理ステップと、前記媒体を前記クライアント端末側で読み取ることで、前記ＵＲＬで特定される前記機器管理支援サーバにアクセスすることで得られる、初期登録用の入力画面であって、前記建物コードリストから該当する前記施設アクセスコードを入力する入力領域を有する入力画面に入力された前記施設アクセスコードを受け取り、前記管理番号で前記ユーザＩＤを受け取り、前記ユーザＩＤと前記施設アクセスコードにより前記施設ＩＤを受け取り、前記施設ＩＤを前記クライアント端末に送信することで、前記クライアント端末における系統名の入力を促し、前記クライアント端末からの前記系統名の返信に基づいて、前記機器テーブルに前記系統名と対応する前記施設ＩＤとを含む機器情報を登録していく初期登録処理ステップと、を行うことを特徴とする機器管理支援方法が提供される。
【００１６】
本発明は、上記に記載の機器管理支援方法をコンピュータに実行させるためのプログラムであっても良く、当該プログラムを記録するコンピュータ読み取り可能な記録媒体であっても良い。
【発明の効果】
【００１７】
本発明によれば、業務用の空調機器等に関して、機器の所有者や管理者等に対して、点検、記録、報告等を支援するための機器管理支援技術を提供することができる。
【図面の簡単な説明】
【００１８】
【図１】本発明の一実施の形態による業務用の空調機器等の機器管理支援技術に用いられる機器管理支援システムの一構成例を示す機能ブロック図である。
【図２】端末の一構成例を示す機能ブロック図である。
【図３Ａ】機器管理支援サーバの一構成例を示す機能ブロック図である。
【図３Ｂ】機器管理支援サーバの処理部の一構成例を示す機能ブロック図である。
【図４】ＱＲコードに含まれるデータの一例を示す図である。
【図５Ａ】機器管理支援サーバを中心とした機器管理支援システムのシステムフローの一例を示す図である。
【図５Ｂ】機器管理支援サーバを中心とした機器管理支援システムのシステムフローの一例を示す図である。
【図６Ａ】本実施の形態による機器管理支援システムにおけるデータベース群内の各テーブルの一構成例を示す図である。
【図６Ｂ】本実施の形態による機器管理支援システムにおけるデータベース群内の各テーブルの一構成例を示す図である。
【図６Ｃ】本実施の形態による機器管理支援システムにおけるデータベース群内の各テーブルの一構成例を示す図である。
【図６Ｄ】本実施の形態による機器管理支援システムにおけるデータベース群内の各テーブルの一構成例を示す図である。
【図７】ユーザ登録処理部が行うユーザ登録処理の一例を示すシーケンス図である。
【図８】施設・機器登録処理部が行う施設・機器登録処理の一例を示すシーケンス図である。
【図９】図８に続く図である。
【図１０】初期登録処理部が行う初期登録処理の一例を示すシーケンス図である。
【図１１】図１０に続く図である。
【図１２】簡易点検処理部が行う簡易点検登録処理の一例を示すシーケンス図である。
【図１３】本実施の形態による機器管理支援サーバの処理の概要を示すフローチャート図である。
【図１４】初期登録処理の流れの一例を示すフローチャート図である。
【図１５】施設登録用リストの一構成例を示す図である。
【図１６】クライアント端末側から示した初期登録手順（室外機）の一例を示す図である。
【図１７】図１６に続く、クライアント端末側から示す初期登録手順（室内機）の一例を示す図である。
【図１８】クライアント端末側から示す簡易点検手順の一例を示す図である。
【図１９】クライアント側からの利用申し込み書式の一例を示す図である。
【図２０】建物コード（施設アクセスコード）リストの一例であって、クライアント側からの初回登録返信書式の一例を示す図である。
【図２１】管理台帳の一例である、冷媒漏えい点検・整備記録簿の一構成例を示す図である。
【図２２】冷媒漏えい簡易点検チェックシートの一例を示す図である。
【図２３】冷媒漏えい定期点検チェックシートの一例を示す図である。
【図２４】機器管理支援サーバの表示部（ブラウザ）におけるシステム管理者による入出力処理画面の一例を示す図であり、ログイン画面の一例を示す図である。
【図２５】ログイン処理中の画面例を示す図である。
【図２６】ユーザ一覧を表示させた画面の一例を示す図である。
【図２７】ユーザ登録画面の一例を示す図であり、署名でクライアントから送付された情報をシステムに登録するための入力インターフェイス例を示す図である。
【図２８】施設一覧の表示例を示す図である。
【図２９】施設登録画面の表示例を示す図である。
【図３０】業務用冷凍空調機器カルテシステムにおける機器一覧の表示例を示す図である。
【図３１】図３０から、ＱＲコードのダウンロードを完了した表示画面を示す図である。
【図３２】初期登録処理により埋められていく機器登録画面の表示例を示す図である。
【図３３】図２１に示す冷媒漏えい点検・整備記録簿（管理台帳）に基づく画面表示例を示す図である。
【発明を実施するための形態】
【００１９】
本明細書において、系統とは、例えば、１つの室外機とそれに接続されている１又は複数の室内機との組みを指す。
以下、本発明の一実施の形態による機器管理支援技術について、図面を参照しながら詳細に説明する。
【００２０】
図１は、本発明の一実施の形態による業務用の空調機器等の機器管理支援技術に用いられる機器管理支援システムの一構成例を示す機能ブロック図である。
図１に示すように、本実施の形態による機器管理支援システムＡは、例えば、機器の管理を支援するための機器管理支援サーバ１と、機器管理支援サーバ１と関連付けされている、種々のテーブルを保持するデータベース（ＤＢ）群３と、機器管理支援サーバ１とネットワーク接続されるクライアント端末（空調機器の管理を行う所有者等の端末）５、５、…と、機器のメンテナンス（点検修理）等を行うメンテナンス業者の所有するメンテナンス（点検）者端末７と、を有している。
【００２１】
図２に示すように、端末５、７は、例えば、表示部５−１、記憶部５−２と、処理部５−３と、入力部５−４と、通信部５−５とを有している
機器管理支援サーバ１は、例えば、図３Ａに示すように、関連付けされているデータベース内を検索するＤＢ検索部１−１と、入出力部１−２と、処理部１−３と、表示部（ブラウザ）１−４と、通信部１−５と、パスワードの管理を行うＰＷ管理部１−６ａを含む記憶部１−６とを有している。処理部１−３は、図３Ｂに示すように、ユーザ登録処理部１−３−１（ＳＵＢ１）、施設・機器登録処理部１−３−２（ＳＵＢ２）、初期登録処理部１−３−３（ＳＵＢ３）と、簡易点検処理部１−３−４（ＳＵＢ４）と、を有している。
【００２２】
尚、後述するＱＲコードは、図４に示すように、機器管理支援サーバ１のＵＲＬと、図２１で後述する台帳に記載されるユニークな機器の番号である管理番号とを含むデータをコード化したものである。尚、図２１の台帳は一系統あたり１枚必要なことが法律上決まっている。ここでは、ＱＲコードなどにコード化された媒体を例にして説明したが、コード化は必須ではない。
【００２３】
図１３は、本実施の形態による処理の概要を示すフローチャート図である。まず処理を開始し（ステップＳ１１：Ｓｔａｒｔ）、ステップＳ１２において、申込書と施設登録用リストをユーザ側から管理者側が受け取る。ステップＳ１３において、管理者側でデータを加工処理し、ステップＳ１４において、管理者側からユーザ側に、図２０に示す初回機器登録返信用紙（建物コードリストを含むリスト）、ＱＲラベルをユーザ側に送付する。ステップＳ１５において、ユーザ側で初期登録を行い、ステップＳ１６において、ユーザ側において簡易点検等を行う、ステップＳ１７において、以上の結果を受け取った管理者側で、管理台帳を完成させ、処理が終了する（ｅｎｄ）。
【００２４】
図５Ａ、Ｂ（以下図５とも称する。）は、機器管理支援サーバ１を中心とした機器管理支援システムＡのシステムフローの一例を示す図である。以下に説明するサブシステムのそれぞれにおいて、図１に示す各構成機器がどのような処理を行っているかを概略的かつ全体的に示した図である。機器管理支援サーバ（Ｄ-Ｆｌｏｎｓ）で示される部分には、クライアント端末（ユーザ）、カスタマＣ（機器管理支援サーバの画面と処理）、データベースＤＢが示されている。図３Ｂに示す処理部の処理別に区分けして処理例が示されている。
【００２５】
尚、図５では、印刷物や手作業で行っている例について説明している部分があるが、実際には、電子データのやり取りや情報処理によって行うことができ、手作業を極力省くことが可能であることは言うまでもない。そのような発明も本発明の範疇に入る。
【００２６】
図６Ａから図６Ｄまで（以下、図６とも称する。）は、本実施の形態による機器管理支援システムＡにおけるデータベース群３内の各テーブルの一構成例を示す図である。図６では、図３Ｂ、図５に示す処理ＳＵＢ１からＳＵＢ４までの処理において利用されるテーブルであるＴＢ１からＴＢ１２までと、機器管理支援サーバ１の記憶部１-６等に予め記憶されているか、あるいは、別途データベース内に記憶されているマスタテーブルＭＴ１からＭＴ９までが設けられている。
【００２７】
ユーザテーブルＴＢ１は、顧客であるユーザ（機器の管理者、所有者）を一意に識別するユーザＩＤをキーとして、法人名などのユーザの名称、メールアドレスなどの連絡先を保持している。その他、登録日、法人名（カナ）、申込みがなされたユーザに対する暗証番号などのパスワード、最終的なログイン日時などが任意に設けられている。プロフィールテーブルＴＢ２は、主として、機器管理支援に対する対価等を請求するために必要なデータを保持しても良い。
【００２８】
施設テーブルＴＢ３は、機器が設置されているビルなどの施設を管理するためのテーブルであり、施設を一意に識別するための施設ＩＤをキーとし、ユーザテーブルＴＢ１のユーザＩＤと紐付けされているユーザＩＤと、クライアント端末から点検結果を登録する際に必要なログインパスワードとして機能する施設アクセスコードと、を有し、その他、施設の名称、位置（場所）、施設の管理者や所有者などの情報を保持していても良い。
【００２９】
機器テーブルＴＢ４は、管理すべき機器を一意に識別する機器ＩＤをキーとして、機器の番号である管理番号と、ユーザＩＤと、を有している。ユーザＩＤは、施設テーブルＴＢ３のユーザＩＤと紐づいている。また、親機器ＩＤは、室内機の場合にその親である室外機のＩＤである。
【００３０】
尚、機器テーブルＴＢ４は、施設・機器登録処理ＳＵＢ２の処理段階では上記の構成を有するが、初期登録処理ＳＵＢ３により、系統名から施設ＩＤまでが追加されていく。追加される項目Ｉ１は、１つの室外機に対してつながっている室内機群の特定するための系統名と、機器に関する種々の情報と、施設ＩＤとが追加されていく。機器テーブルＴＢ４の施設ＩＤは、施設テーブルＴＢ３の施設ＩＤと紐づいている。
【００３１】
メンテナンステーブルＴＢ５は、点検に関するテーブルであり、メンテＩＤをキーとして、管理番号（ＴＢ４と紐づく）、機器ＩＤ（ＴＢ４と紐づく）、作業年月日、点検結果や修理内容などが格納されており。また、業者名により後述するメンテナンス業者テーブルＴＢ１１と紐づいている。
【００３２】
メンテナンスリンクテーブルＴＢ６は、リンクＩＤをキーとして、メンテナンスを一意に識別するメンテＩＤにより、メンテナンステーブルＴＢ５と、後述するチェック結果テーブルＴＢ１０とをリンクするためのテーブルである。メンテナンスリンクテーブルＴＢ６には、メンテＩＤと、機器ＩＤ、チェックリストＩＤが設けられている。
【００３３】
点検チェックリストリンクテーブルＴＢ８は、室外機と室内機のリンクＩＤをキーとして、機器分類ＩＤと、簡易点検などの点検・整備区分を示す点検・整備区分ＩＤとで、ユニークになり、その他、チェックリストＩＤを備えている。
【００３４】
チェック項目テーブルＴＢ９は、チェック項目ＩＤをキーとして、チェックリストＩＤにより点検チェックリストリンクテーブルＴＢ８と紐づいており、図２２で後述する冷媒漏えい簡易点検チェックシートによる点検チェック結果に応じて、このテーブルＴＢ９が作成される。なお、並び順は、質問内容に対する、結果ＩＤをキーとするチェック結果テーブルＴＢ１０におけるチェック結果の項目の解答内容の並び順を示す。
【００３５】
施設・機器登録処理ＳＵＢ２に関連して、さらに、データベースには、メンテナンスを行うメンテナンス業者テーブルＴＢ１１とメンテナンス業者リンクテーブルＴＢ１２とが設けられている。メンテナンス業者リンクテーブルＴＢ１２の施設ＩＤは、施設テーブルＴＢ３の施設ＩＤに紐づけられている。また、メンテ業者ＩＤは、メンテナンス業者テーブルＴＢ１１のメンテ業者ＩＤと紐づけられている。
【００３６】
さらに、マスタテーブルＭＴ１からＭＴ９までは、機器の用途ＩＤと用途名とを対応付けた用途マスタテーブルＭＴ１と、機器分類ＩＤをキーとして、機器分類と、室外機をメイン（１）、室内機をサブ（０）としたメインフラグとを設けた機器分類マスタテーブルＭＴ２と、使用冷媒ＩＤと使用冷媒（名）とを対応付けた使用冷媒マスタテーブルＭＴ３とが、初期登録処理ＳＵＢ３に関連付けられて設けられている。
【００３７】
また、簡易点検処理ＳＵＢ４に関連付けられて、点検整備区分マスタテーブルＭＴ４、点検内容マスタテーブルＭＴ５、冷媒の漏えい点検結果マスタテーブルＭＴ６、故障原因マスタテーブルＭＴ７、故障箇所マスタテーブルＭＴ８、修理内容マスタテーブルＭＴ９が設けられており、簡易点検に関する処理を行うことができる。
【００３８】
尚、データベース構成は上記のものに限定されるものでなく、任意に設計を変更することができる。
【００３９】
図７は、図３Ｂに示すユーザ登録処理部１-３-１が行うユーザ登録処理の一例を示すシーケンス図である。適宜、その他の図面も参照しながら説明を行う。
【００４０】
まず、ステップＳ１-１において、クライアント（クライアント端末でも良い）５が、機器管理支援サーバ１に、例えば図１９に示すような申込書に項目を記載したデータ又はシートを送付（送付又はＦＡＸ等）する。図１９には、法人名等のクライアント名と、住所等の連絡先と、請求書等の送付先とを記載する欄が設けられ、これらの欄を埋めることで機器管理支援サーバ１側にユーザ登録の申込みを行う。ステップＳ１-２において、機器管理支援サーバ１側において、入出力部１-２において、申込書に記載されたユーザ情報を管理者が入力し、処理部１-３に送る。処理部１-３では、図６に示すユーザテーブルＴＢ１を作成し（ステップＳ１-３）、このテーブルＴＢ１をデータベース３群内に格納する。
【００４１】
尚、これらの処理は、クライアント側が図１９に示す用紙の各項目に情報を記載した後にＦＡＸ等により管理者側に送付しても良いし、クライアント端末５が、図１９に示す情報を入力部５-４により入力した後に電子データを機器管理支援サーバ１側に送信し、入力された項目に基づいて、ユーザテーブルＴＢ１を自動的に作成するようにしても良い。以下の処理も同様である。
【００４２】
また、処理部１-３では、同様に、ユーザの住所や管理支援の対価の請求先の情報から、プロフィールテーブルＴＢ２を作成し、このテーブルＴＢ２をデータベース群３内に格納する。
【００４３】
以上の処理は、図５における処理Ｌ１、Ｌ２に対応する処理であり、これにより、ユーザの情報と請求に関する情報とを、機器管理支援サーバ１側で利用することができるようになる。
【００４４】
次に、施設・機器登録処理部１-３-２が行う施設・機器登録処理ＳＵＢ２について図８・図９を参照しながら説明する。クライアント端末５から、図１５に示すような施設登録用リストを、機器管理支援サーバ１側に、例えばメール送信する（ステップＳ２−１）。施設登録用リストには、例えば、管理支援対象機器（空調機器など）の所有者、所有者の住所、機器の設置されているビルなどの施設名、施設の住所、室外機数（系統数）、機器の管理責任者名、管理責任者の連絡先（電話番号、電子メールアドレス等）、機器を点検する点検業者の業者名や住所、連絡先（複数であっても良い）が記載されている。
【００４５】
まず、機器管理支援サーバ１の表示部１−４に、施設登録用リストの情報を表示させ、ステップＳ２−２において、入出力部１−２により施設登録用リストの情報を入力して処理部１−３において、施設テーブルＴＢ３に施設情報を登録する（ステップＳ２−３）。この処理により、施設テーブルＴＢ３を作成することができ、これをデータベース内に格納する。次いで、ステップＳ２−４、Ｓ２−５において、メンテナンス業者の情報をメンテナンス業者テーブルＴＢ１１に登録する。ステップＳ２−６、Ｓ２−７において、機器テーブルＴＢ４に、施設登録用リスト（図１５）に記載されている系統数分のレコードを作成する。ここで、図６に示すように、施設・機器登録処理ＳＵＢ２においては、機器テーブルＴＢ４への登録項目は、自動的に採番される機器ＩＤと、対応する管理番号、ユーザＩＤのみである。この段階では、その他の項目は建物等が特定されていないため記載することができない。
【００４６】
処理部１−３にこれらの情報が返信されると、ステップＳ２−８において、表示部１−４において、登録完了画面が表示される。以上の処理は、図５のＬ３、Ｌ４の処理に対応する。
【００４７】
次いで、図２０に示す建物コードリスト返信用シートと、例えばＱＲコード（図４参照）が記載されたＱＲラベルとを作成する。
【００４８】
まず、データベースの施設テーブルＴＢ３を参照し、ここで、施設を選択して、処理部１−３において施設と施設アクセスコードとを対応付けた建物コード（施設アクセスコード）リストを出力させる（ステップＳ２−９）。処理部１−３は、ステップＳ２−１０において、施設アクセスコードを指定して施設（ＩＤ）を特定し、施設テーブルＴＢ３において、施設ＩＤに対応する施設アクセスコードを取得し（ステップＳ２−１１）、ステップＳ２−１２において、施設名、住所、施設アクセスコードを、ＣＳＶファイルなどに書き出して表示部１−４に表示させる。この処理が、図５のＬ５からＬ７までの処理に対応する。この処理により、図２０に示すような建物コードリスト返信用シートを作成することができる（ステップＳ２−１２）。
【００４９】
次いで、データベースの機器テーブルＴＢ４を参照し、ここで、機器を選択して、処理部１−３において、ＱＲ用ＵＲＬ出力を選択することで（ステップＳ２−１３）、ステップＳ２−１４において、機器ＩＤを機器テーブルＴＢ４で参照する。そして、ＤＢ検索部１−１などにより機器テーブルＴＢ４の対応する管理番号を取得し、処理部１−３において、当該管理番号を用いて、図４に示すように、機器管理支援サーバ１のＵＲＬと機器の管理番号とを含むＱＲコードを作成し、ＱＲコードを含むＱＲラベルを作成する（ステップＳ２−１６）。この処理は、図５のＬ８からＬ１０までの処理に対応する。
以上で、施設・機器登録処理が終了する。
【００５０】
ここで、図５のＬ１１に示すように、機器の管理者等が、機器管理支援サーバ１側から取得したＱＲラベルを対象機器（室外機）に貼付する。また、建物コードリストは、所持している。
この形態は、ＱＲラベルの郵送、送られてきた電子データのプリントアウトなど、様々な変形例を含む。
【００５１】
次に、初期登録処理部１-３-３が行う初期登録処理ＳＵＢ３について図１０、図１１、図１４を参照しながら説明する。この初期登録処理までには、機器と施設とは関連付けられていないが、初期登録を行うことで、機器（管理番号）と施設（施設ＩＤ）とが紐付くため、誤登録を回避することができる。
【００５２】
まず処理が開始され（図１４：ステップＳ２１）、図１６に示すように、室外機に貼付されたＱＲラベルのＱＲコードを読み込み（ステップＳ２２）、クライアント端末５の表示部５−１に表示させ、ＱＲコード読み取り部５−３ａによりデコードし（ステップＳ２３）、図４に示す管理番号をパラメータとしたＵＲＬを取得し表示する（ステップＳ２４、ステップＳ３−１）。このＵＲＬにアクセスすることで（ステップＳ２５）、機器管理支援サーバ１にアクセスすることができる。そして、ステップＳ３−２、Ｓ３−３において、ＱＲコードに含まれる管理番号に基づいて、機器テーブルＴＢ４の情報を取得する。ここで、機器テーブルＴＢ４において系統名が空欄の場合には、クライアント端末５に初期登録画面を返却することで、クライアント端末５の表示部５−１に、図１６、図１７の上図に示すような画面を表示させる（ステップＳ３−４）。次いで、ステップＳ３−５において、クライアント端末５から入力した管理番号、建物コード（施設アクセスコード）、使用機器分類を、機器管理支援サーバ１側に送信する。
【００５３】
具体例として、ユーザは、上記の建物コードリストから、該当する建物コード（施設アクセスコード）を入力するとともに、使用機器分類（ここでは、室外機）を選択し、ＯＫボタンを押す。
以上の処理は、図５のＬ１２に対応する処理である。
【００５４】
次いで、ステップＳ３−６、Ｓ３−７において、機器テーブルＴＢ４の管理番号でユーザＩＤを取得する。次いで、ステップＳ３−８、Ｓ３−９において、ユーザＩＤと建物コード（施設アクセスコード）に基づいて施設テーブルＴＢ３から施設ＩＤを取得する。次いで、ステップＳ３−１０において、機器テーブルＴＢ４に、施設ＩＤと使用機器分類（機器分類ＩＤ）を登録する。次いで、ステップＳ３−１１、Ｓ３−１２において、機器分類ＩＤから機器分類マスタテーブルＭＴ２を参照してメインフラグを取得する。メインフラグが１の場合にはメイン、０の場合には、サブである。この処理は、図５のＬ１３に対応する処理である。
【００５５】
図１１に示すように、図１０のステップＳ３−１２において、サーバに返信されたメインフラグが“１”メインであるか“０”サブであるかに依存して、上側と下側とのいずれかの処理を行うことになる。
【００５６】
メインフラグが“０”サブの場合には、室内機側の処理であり、ステップＳ３−２１、Ｓ３−２２において、施設ＩＤに基づいて、機器テーブルＴＢ４から系統名を全て取得し、クライアント端末５の表示部５−１において図１７の下図の系統名選択画面を表示させる（ステップＳ３−２３）。この画面の処理に応じて、ステップＳ３−２４において、選択した系統と機器ＩＤとを機器管理支援サーバ１に返信し、ステップＳ３−２５において、機器テーブルＴＢ４に、系統名と機器ＩＤ（＝室内機の親機器である室外機の親機器ＩＤ）を登録することで、機器テーブルＴＢ４に系統名を追加することができる。そして、ステップＳ３−２６において、クライアント端末５の表示部５−１に、登録完了画面の表示を促す。
【００５７】
メインフラグが“１”メインの場合には、室外機側の処理であり、ステップＳ３−２７において、クライアント端末５の表示部５−１に、図１６下図の系統名入力画面での操作に基づいて、入力した系統名を機器管理支援サーバ１側で受け取り（ステップＳ３−２８）、機器テーブルＴＢ４に系統名を登録する（ステップＳ３−２９）。また、クライアント端末５の表示部５−１において登録完了画面の表示を促す（ステップＳ３−３０）。
これにより、クライアントは、初期登録が完了したことを知ることができる。
【００５８】
さらに、クライアント端末５から、例えば図２０に示すような初期登録用の返信用シートが管理者側に送付されると（ステップＳ３−３１）、管理者側では、画面において返信用シートの情報を入力し、ステップＳ３−３３において、機器テーブルＴＢ４に、設備製造者から充填量までの図６のＩ１で示すデータを登録することができる。登録が完了すると、機器管理支援サーバの表示画面に登録完了画面が表示される（ステップＳ３−３４）。
【００５９】
図１６、図１７の下図に示すように、クライアント端末５において、系統名の入力選択を促す画面が表示されるため、系統名を入力選択してＯＫボタンを押すと、室外機、室内機の初期登録が完了する。機器の型式、製造番号等は管理台帳に記入し、機器管理支援サーバ１側にも送る。
【００６０】
以上により、機器テーブルＴＢ４が完成し、初期登録処理ＳＵＢ３が完了することで、施設テーブルＴＢ３と機器テーブルＴＢ４とを、ユーザＩＤにより紐づけることができる。
以上が、図５のＬ１４からＬ１８までに対応する処理である。
【００６１】
次に、上記の処理により系統名が登録済となると、簡易点検処理ＳＵＢ４を行うことができる。
【００６２】
図１２に簡易点検処理ＳＵＢ４のシーケンス図を示す。まず、ステップＳ４−１において、クライアント端末５において、図４に示すような内容を有するＱＲコードを読み込み、ＵＲＬを機器管理支援サーバ１に送信する。この際のパラメータは、機器テーブルＴＢ４の管理番号である。そして、ステップＳ４−２、Ｓ４−３において、管理番号より機器テーブルＴＢ４の機器情報を取得する。そして、ステップＳ４−４において、系統名が取得できる場合に、点検登録画面をクライアント端末５に送る。図１８は、クライアント端末５に表示させた点検登録画面の一例を示す図である。
【００６３】
ここで、建物コード（施設アクセスコード）に対応して、点検（整備）区分の選択等を行うことができる。図１２の下図は、点検（整備）区分の選択が簡易点検の場合の処理の流れを示すシーケンス図である。
【００６４】
すなわち、クライアント端末５において、クライアント端末５が記憶する管理番号、点検整備区分、点検業者を、機器管理支援サーバ１に送信する（ステップＳ４−１１）。ステップＳ４−１２、Ｓ４−１３において、機器管理支援サーバ１は、機器テーブルＴＢ４を参照（検索）し、管理番号をキーとして機器分類ＩＤを取得する。機器分類ＩＤは、例えば冷凍機、空調機、冷蔵機などの業務用機器８の区分である。そして、ステップＳ４−１４において、機器管理支援サーバ１は、メンテナンステーブルＴＢ５に、点検整備区分、業者名を登録する。さらに、ステップＳ４−１５、Ｓ４−１６において、機器分類ＩＤと点検整備区分とで、点検チェックリストリンクテーブルＴＢ８、チェック項目テーブルＴＢ９からチェック項目を取得する。そして、ステップＳ４−１７において、図１８下図のチェック項目画面をクライアント端末５に返却する。
【００６５】
この処理により、図１８下図の点検内容登録画面をクライアント端末５の表示部５−１に表示させることができる。この処理は、図５における、Ｌ１９からＬ２１に相当する。
【００６６】
次いで、クライアント端末５において点検結果を入力等することで、ステップＳ４−１８において、管理番号、点検内容、点検結果を機器管理支援サーバ１に送信する。ステップＳ４−１９において、機器管理支援サーバ１は、メンテナンステーブルＴＢ５に、点検内容と点検結果を登録する。次いで、ステップＳ４−２０において、メンテナンスリンクテーブルＴＢ６、チェック結果テーブルＴＢ１０に、点検結果を登録し、ステップＳ４−２１において、返信される。次いで、ステップＳ４−２２において、登録完了画面がクライアント端末５に返却される。
【００６７】
この処理により、点検結果の登録が完了したことをクライアント端末５の表示部５−１に表示させることができる。この処理は、図５における、Ｌ２２からＬ２３に相当する。
【００６８】
図２１は機器の管理台帳の一構成例を示す図であり、図２２、機器の例としてエアコンを用いた場合の、冷媒漏えいに関する簡易点検チェックシートの一例を示す図であり、例えば、該当する機器の４月９日のチェック項目とチェック結果をクライアントに提供することができる。図２３は、定期点検などのより詳細な点検チェックシートの一例を示す図である。
【００６９】
図２１に示すように、冷媒漏えい点検・整備記録簿（管理台帳）は、機器の管理者、機器の所在地、運転責任者、点検等業者の氏名・住所、系統名、機器の型式等の情報、主要冷媒のＧＷＰ値に加えて、作業日、点検・整備内容、点検結果等が詳細に記載されており、このデータを保持することで、クライアントに報告書による提出を支援することができる。
【００７０】
図２２は、冷媒漏えい簡易点検チェックシートとの一例であり、管理番号、年度、施設名称、系統名、点検方法、機器の型式、製造番号等とともに、室外機と室内機とのチェック項目とチェック結果とが記録されている。
【００７１】
図２３は、定期点検の場合のチェックシートの一例であり、簡易点検よりも詳細な定期点検にも対応することができる。
【００７２】
図２４から図３３までは、機器管理支援サーバの表示部（ブラウザ）１−４におけるシステム管理者による入出力処理画面の一例を示す図である。図２４は、ログイン画面の一例であり、ユーザ名とパスワードの入力により、システムにログインすることができる。
【００７３】
図２５は、ログイン処理中の画面例を示す図であり、登録ユーザの一覧をユーザテーブルＴＢ１等に基づいて表示させたり、施設一覧を施設テーブルＴＢ３に基づいて表示させたり、機器一覧を機器テーブルＴＢ４に基づいて表示させることができる。
【００７４】
図２６は、図２５の画面から、ユーザ一覧を表示させた画面の一例を示す図である。図２６に示す表示例では、ユーザＩＤ、管理者名、メールアドレス、郵便番号、住所、電話番号、担当者名、修正情報や機器追加情報等を一覧表示させている。
【００７５】
図２７は、ユーザ登録画面の一例を示す図であり、署名でクライアントから送付された情報をシステムに登録するための入力インターフェイス例を示す図である。
ここでは、ユーザＩＤ入力欄、管理者名入力欄、パスワード入力欄、メールアドレス入力欄、住所入力欄が設けられている。
【００７６】
図２８は、施設一覧の表示例を示す図であり、管理者名、施設名、アクセスコード、郵便番号、住所、電話番号、運転管理責任者名、運転管理責任者の電話番号、責任者のメールアドレス、修正情報や機器追加情報等を一覧表示させている。施設テーブルＴＢ３の一覧であり、新規登録も可能である。この画面から次の施設登録が可能である。
【００７７】
図２９は、施設登録画面の表示例を示す図である、このインターフェイスでは、管理者名、施設ＩＤ、施設名、住所、電話番号、運転管理責任者、責任者電話番号等を入力することができる。
【００７８】
図３０は、業務用冷凍空調機器カルテシステムにおける機器一覧の表示例を示す図であり、例えば、--ビルの機器一覧が表示される。
ここでは、機器ＩＤと、施設と施設名と、系統名と、管理番号と、機器分類と、設備製造者と、設置年月日等が表示されている。また、ＳＵＢ２のＱＲコード用ＵＲＬ出力をダウンロードするためのボタンを備えており、図５のＬ８〜Ｌ１０の処理に対応する。
【００７９】
図３１は、図３０から、ＱＲコードのダウンロードを完了した表示画面を示す図であり、左下に、ダウンロードしたファイルと、ファイル取得用のボタンとが表示されている。
【００８０】
図３２は、ＳＵＢ３の処理により埋められていく機器登録画面の表示例を示す図である。図３２においては、機器ＩＤ、機器番号に対応する、施設ＩＤ、系統名、機器分類、設備製造者名、設置年月日、機器型式、機器製造番号、機器用途、定格出力、使用冷媒、充填量などを入力することができる。図５のＬ１７〜Ｌ１８の処理に対応する。
【００８１】
図３３は、図２１に示す冷媒漏えい点検・整備記録簿（管理台帳）に基づく画面表示例を示す図である。この表示例には、所有者情報、機器情報、点検履歴の表示欄が設けられている。
【００８２】
所有者情報表示欄は、管理台帳の左上の欄に示される情報に対応し、機器情報表示欄は、管理台帳の右上の欄に示される情報に対応し、点検履歴表示欄は、管理台帳の下の欄に示される情報に対応する。点検履歴欄は、随時、新規追加が可能である。この画面表示により、管理者は、いつでも、詳細な情報を知ることができる。
【００８３】
以上に説明するように、本実施の形態によれば、業務用の空調機器等に関して、機器の所有者や管理者等に対して、点検、記録、報告等を支援するための機器管理支援技術を提供することができる。
【００８４】
上記に記載した処理および制御は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）によるソフトウェア処理、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）によるハードウェア処理によって実現することができる。
【００８５】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００８６】
また、本発明の各構成要素は、任意に取捨選択することができ、取捨選択した構成を具備する発明も本発明に含まれるものである。
【００８７】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００８８】
また、「コンピュータシステム」は、ＷＷＷシステムを利用している場合であれば、ホームページ提供環境（あるいは表示環境）も含むものとする。
【００８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００９０】
本発明は、機器管理支援装置に利用可能である。
【符号の説明】
【００９１】
Ａ…機器管理支援システム、１…機器管理支援サーバ、１−１…ＤＢ検索部、１−２…入出力部、１−３…処理部、１−３−１（ＳＵＢ１）…ユーザ（クライアント）登録処理部、１−３−２（ＳＵＢ２）…施設・機器登録処理部、１−３−３（ＳＵＢ３）…初期登録処理部、１−３−４（ＳＵＢ４）…簡易点検処理部、１−４…表示部、１−５…通信部、１−６…記憶部、１−６ａ…ＰＷ管理部、３…データベース（ＤＢ）群、５…クライアント端末、５−１…表示部、５−２…記憶部、５−３…処理部、５−４…入力部、５−５…通信部、７…メンテナンス（点検）者端末。
【要約】      （修正有）【課題】業務用の空調機器等に関して、機器の所有者や管理者等に対して、点検、記録、報告等を支援するための機器管理支援技術を提供する。【解決手段】機器管理支援システムは、機器の管理の支援を依頼するクライアント端末と、機器の管理の支援を行う機器管理支援サーバと、機器管理支援サーバに関連付けされるデータベースとを有する機器管理支援システムであって、データベースは、管理対象となる機器が配置されている施設の情報を保持する施設テーブルであって、施設を一意に識別するための施設ＩＤと、機器の管理者を一意に識別するユーザＩＤと、クライアント端末から点検結果を登録する際に必要なログインパスワードとして機能する施設アクセスコードと、を有する施設テーブルと、管理対象となる機器の情報を保持する機器テーブルを有する。【選択図】図３Ａ【図１】
0005934415.tif 000002
【図２】
0005934415.tif 000003
【図３Ａ】
0005934415.tif 000004
【図３Ｂ】
0005934415.tif 000005
【図４】
0005934415.tif 000006
【図５Ａ】
0005934415.tif 000007
【図５Ｂ】
0005934415.tif 000008
【図６Ａ】
0005934415.tif 000009
【図６Ｂ】
0005934415.tif 000010
【図６Ｃ】
0005934415.tif 000011
【図６Ｄ】
0005934415.tif 000012
【図７】
0005934415.tif 000013
【図８】
0005934415.tif 000014
【図９】
0005934415.tif 000015
【図１０】
0005934415.tif 000016
【図１１】
0005934415.tif 000017
【図１２】
0005934415.tif 000018
【図１３】
0005934415.tif 000019
【図１４】
0005934415.tif 000020
【図１５】
0005934415.tif 000021
【図１６】
0005934415.tif 000022
【図１７】
0005934415.tif 000023
【図１８】
0005934415.tif 000024
【図１９】
0005934415.tif 000025
【図２０】
0005934415.tif 000026
【図２１】
0005934415.tif 000027
【図２２】
0005934415.tif 000028
【図２３】
0005934415.tif 000029
【図２４】
0005934415.tif 000030
【図２５】
0005934415.tif 000031
【図２６】
0005934415.tif 000032
【図２７】
0005934415.tif 000033
【図２８】
0005934415.tif 000034
【図２９】
0005934415.tif 000035
【図３０】
0005934415.tif 000036
【図３１】
0005934415.tif 000037
【図３２】
0005934415.tif 000038
【図３３】
0005934415.tif 000039